(57)【要約】【課題】引き出し３の少なくとも後端側を引き出し収納部２に前後移動可能に支持させ、前端３ｂ側を少なくとも転動支持体を介し床Ｆに前後移動可能に支持させて、引き出し３を引き出し収納部２内から前方に引き出すように構成する際に、操作力を軽減できる構造を採用する。【解決手段】転動支持体に、上端１２ｂを引き出し３の下向き面３ａに当接させ下端１２ａを床Ｆに接地させてなる遊動回転体１２を採用し、この遊動回転体１２を引き出し３の半分の移動速度Ｖ／２で転動させながら遊動回転体１２に物引き出し３の前端３ｂ側を支持させるようにした。【選択図】図６
2005144102.tif 000002
【特許請求の範囲】
【請求項１】
物体の少なくとも後端側を筐体内に前後移動可能に支持させ、前端側を少なくとも転動支持体を介し床に前後移動可能に支持させて、物体を筐体内の収納位置から前方に引き出すようにしたものにおいて、
前記転動支持体に、上端を物体の下向き面に当接させ下端を床に接地させてなる遊動回転体を採用し、この遊動回転体を物体の半分の移動速度で転動させながら当該遊動回転体に物体の前端側を支持させるようにしたことを特徴とする物体支持装置。
【請求項２】
遊動回転体を物体の下向き面及び床に直接接触させるようにしている請求項１記載の物体支持装置。
【請求項３】
遊動回転体を物体の下向き面及び床に無限軌道を介して接触させるようにしている請求項１記載の物体支持装置。
【請求項４】
遊動回転体は、レール及び回転子を介して物体に懸吊可能に支持されている請求項１〜３記載の物体支持装置。
【請求項５】
引き出しの初動時にレール及び回転子を介して遊動回転体を床から浮上した位置に支持しておき、引き出し操作の途中で遊動回転体が床に接地した以降は、物体の下向き面に設けた傾斜に遊動回転体を潜り込ませて物体の前端側を持ち上げるように構成している請求項４記載の物体支持装置。
【請求項６】
レールの一部に、遊動回転体が接地するまでは回転子を当該レールの前端部に仮保持するための車止めを設けている請求項５記載の物体支持装置。
【請求項７】
遊動回転体の巾寸法が、物体の巾寸法の１／３を上回り、物体の巾方向中央部を支持する位置に配置される請求項１〜６記載の物体支持装置。
【請求項８】
物体が引き出しであり、筐体が袖机、ワゴンその他の引き出し付き什器の引き出し収納部である請求項１〜７記載の物体支持装置。
【請求項９】
引き出しが、引き出し収納部の最下段に配置されるもの或いは引き出し収納部全体に配置される単体のものである請求項８記載の物体支持装置。
【請求項１０】
引き出しが、底壁の３辺の上方を立壁に包囲され、出し入れ方向と直交する一辺の上方を解放されたものである請求項８又は９記載の物体支持装置。
【発明の詳細な説明】
【技術分野】
【０００１】  本発明は、袖机やワゴン等の引き出し或いはこれに類する物体を軽い力で簡単に操作することができるようにした物体支持装置に関するものである。
【背景技術】
【０００２】  例えば、ワゴンの引き出し等は、サスペンションレール機構等を介して筐体である引き出し収納部内に支持されるのが通例である。このうち、最下段に位置する底の深い引き出し等は、大量の物品が収納されるため、常時大きな負荷が掛かっている場合が少なくない。【０００３】  このようなことから、この種の引き出しを支持する支持装置には、特許文献１に示されるように、少なくとも引き出しの後端側を筐体である引き出し収納部内にサスペンションレール機構等を介して前後移動可能に支持させるのみならず、前端側を補助車輪を介し床に前後移動可能に支持させて、引き出しに前垂れ現象が生じることを防止している。
【特許文献１】特開２００１−１８６９４６号公報
【発明の開示】
【発明が解決しようとする課題】
【０００４】  ところで、かかる補助車輪は、引き出しの前端側における巾方向中央部の下面にブラケットを介し軸着されて、引き出しと同じ移動速度で移動するものである。従来におけるこの種の補助車輪は、接地面積の小さい比較的巾狭なものであるため、硬質の床上を移動させるときにはまだしも、少しでも柔らかい床上を移動させるときや、引き出しの積載量が大きい場合等には、床との摩擦が増大して過大な操作力を伴うという問題がある。【０００５】  本発明は、このような課題に着目してなされたものであって、袖机やワゴンの引き出しに見られるような物体を軽い力で簡単に操作する上で有用となる新規有用な物体支持装置を新たに提供しようとするものである。
【課題を解決するための手段】
【０００６】  本発明は、かかる目的を達成するために、次のような手段を講じたものである。【０００７】  すなわち、本発明の物体移動装置は、物体の少なくとも後端側を筐体内に前後移動可能に支持させ、前端側を少なくとも転動支持体を介し床に前後移動可能に支持させて、物体を筐体内の収納位置から前方に引き出すようにしたものにおいて、前記転動支持体に、上端を物体の下向き面に当接させ下端を床に接地させてなる遊動回転体を採用し、この遊動回転体を物体の半分の移動速度で転動させながら当該遊動回転体に物体の前端側を支持させるようにしたことを特徴とする。【０００８】  一般に、床との摩擦力に抗して回転体を付勢する場合、回転体の中心よりも上端に近い位置を付勢する方が、回転体の中心付近、さらには床に近い位置を付勢するよりも軽い力で回転体を床上にて転動させ得ることは経験的に認められる。したがって、物体を引き出す際に加える操作力を本発明のように下向き面から遊動回転体の上端に伝えるようにすれば、操作力を補助車輪の車軸に伝える場合等に比べて、より小さい力で物体を移動させることができるようになる。【０００９】  本発明の遊動回転体は、物体の下向き面及び床に直接接触させて配置してもよいが、無限軌道を介し間接的に接触させて配置することを妨げるものではない。【００１０】  遊動回転体が物体から離脱することを防止するためには、レール及び回転子を介して物体に懸吊可能に支持しておくことが望ましい。【００１１】  引き出しを引き出すにつれて前端側が自重で前垂れするのを有効に防止するためには、引き出しの初動時にレール及び回転子を介して遊動回転体を床から浮上した位置に支持して引き出しの後端側を筐体内部に支持させておき、引き出し操作の途中で遊動回転体が床に接地した以降は、物体の下向き面に設けた傾斜に遊動回転体を潜り込ませて物体の前端側を持ち上げるように構成しておくことが有効である。【００１２】  この場合、作動に確実性を期すためには、レールの一部に、遊動回転体が接地するまでは回転子を当該レールの前端部に仮保持するための車止めを設けておくことが好ましい。【００１３】  ある程度引き出した後に遊動回転体を働かせるようにし、これにより極力遊動回転体が床上を転動する距離を短くする構成としては、筐体と物体の下向き面との間に、物体の初動時に遊動回転体を床から浮上させ、所定引き出し位置以降に遊動回転体を床に接地させるためのガイド回転子及び傾斜面を設けておくことが効果的である。【００１４】  物体の後端側における左右両側縁をレール機構に支持させること等を考慮し、且つ遊動回転体による支持を実効あらしめるためには、遊動回転体の巾寸法が、物体の巾寸法の１／３を上回り、物体の巾方向中央部を支持位置としておくことが好ましい。【００１５】  本発明の好適な適用例としては、物体が引き出しであり、筐体が袖机、ワゴンその他の引き出し付き什器の引き出し収納部であるものが挙げられる。【００１６】  本発明は、引き出しが、引き出し収納部の最下段に配置されるもの或いは引き出し収納部全体に配置される単体もののように負荷の大きいものである場合や、引き出しが底壁の３辺の上方を立壁に包囲され、出し入れ方向と直交する一��の上方を解放された剛性の若干劣るものである場合等に適用して特に有用なものとなる。
【発明の効果】
【００１７】  本発明は、以上説明した構成により、袖机やワゴンに付帯する引き出しを始めとして、少なくとも後端側を筐体内において前後移動可能に支持される各種物体に対し、その前端側を床に支持させた状態でより軽い力により簡単に操作することを可能にした物体支持装置を提供することができる。
【発明を実施するための最良の形態】
【００１８】  以下、本発明の一実施形態を、図面を参照して説明する。【００１９】  図１に示す本実施形態の物体支持装置１は、袖机Ａを構成する筐体たる引き出し収納部２に物体である引き出し３を出し入れ可能に支持してなるものである。【００２０】  引き出し収納部２は、前方に開口２ａを有したもので、この開口２ａの内部に物体支持装置１の一部を構成するサスペンションレール機構１１を配置しており、このサスペンションレール機構１１によって引き出し３を後端側から支持し、引き出し収納部２に略完全に収まる図２の位置と、引き出し収納部２から大半が持ち出される図４の位置との間で、図３の状態を経て出し入れ可能としたものである。サスペンションレール機構１１それ自体は周知のものであって、図２〜図４の模式図においては基端レール１１ａ、先端レール１１ｂ及び中間ローラ１１ｃを具備し、テレスコピックに腕を伸ばして引き出し３を極力大きく持ち出せる支持構造を実現しているものであるが、このような構成は一般的なものであるため、ここにおける説明は省略する。引き出し収納部２の開口端２ａ近傍の側壁内面には、引き出し３の底壁３１の下向き面３ａを支持するガイド回転子たるガイドローラが２１（図３、図５等参照）が設けてある。【００２１】  引き出し３は、底壁３１の３辺の上方を立壁となる前壁３２、後壁３３及び右側壁３４に包囲され、出し入れ方向と直交する一辺の上方、すなわち左側壁に相当する部位を解放して、着座者が側方から立壁３２、３３、３４間に架け渡した棚３５やトレー３６に対して物品の出し入れを行い得るようにしたものである。前記引き出し収納部２に配置されたサスペンションレール機構１１は、少なくとも引き出し３の底壁３１の下方における左右２箇所を前記引き出し収納部２の対応する側壁２２付近において前後スライド可能に支持している。【００２２】  このような構成において、本実施形態は、引き出し３の前端３ｂ側を転動支持体たる遊動回転体１２を介して床Ｆに前後移動可能に支持させている。【００２３】  この遊動回転体１２は、図５に示すように、床Ｆから引き出し３の底壁３１の下向き面３ａまでの距離に略対応した直径２ｒを有し、巾寸法ｄが引き出し３の巾寸法ｗの１／３超をなす中実ないし中空の円柱状をなすもので、少なくとも表面は樹脂等により構成されており、引き出し３の収納時において引き出し３の前端３ｂ側における巾方向中央部の下向き面３ａを支持する位置に配置されている。【００２４】  具体的には、図５及び図６に示すように、引き出し３の底壁３１の下面に左右に対をなしてコ字形のレール１３が形成してあり、このレール１３に各々一対の回転子１４を介して逆三角形状のブラケット１５を添設支持させている。一対のブラケット１５は、その間に前記遊動回転体１２の両端を軸ｍを介して軸着しているもので、回転子１４はレール１３にある程度の遊びをもって内設されている。すなわち、遊動回転体１２が下端１２ａを床に接地させ上端１２ｂを引き出し３の下向き面３ａに当接させている状態では、回転子１４はレール１３に若干のクリアランスを隔てて配置されるようにしている。勿論、仮に接触していても回転子１４はレール１３内を回転し得るので、遊動回転���１２が引き出し３に対して相対移動する際のレール１３に対する抵抗は殆ど問題にならない。このような構造を採用する理由は、運搬時などにこれらのレール１３及び回転子１４を介して遊動回転体１２を引き出し３に懸吊可能に支持させて、引き出し３から遊動回転体１２が離脱しないように付帯させておくためである。【００２５】  この遊動回転体１２は、引き出し３の収納位置から引き出し３を引き出す操作に伴って、図２→図３→図４に示すように引き出し３の移動距離の半分だけ移動する。具体的には、図６に示すように、遊動回転体１２が円周上の最初の接地位置Ａ１から仮に角度θだけ転動したとすると、遊動回転体１２は床Ｆに対する最初の接地点Ｂ１からｒθだけ移動したことになる。このとき、遊動回転体１２の上端は引き出し３の下向き面３ａに接触していて、同じ距離ｒθだけ引き出し３を繰り出している。よって、引き出し３は床Ｆに対して２ｒθだけ移動したことになる。すなわち、引き出し３の移動速度Ｖに対して、遊動回転体１２は半分の移動速度Ｖ／２で移動しながら引き出し３を支持することとなる。【００２６】  ここで、遊動回転体１２と床Ｆとの間に比較的大きな摩擦があり、その摩擦抵抗力ｆ０に抗して遊動回転体１２を回転付勢することを考えると、本実施形態のように引き出し３の下向き面３ａから遊動回転体１２の上端１２ｂに前方への付勢力ｆ１を作用させる方が、例えば引き出し３と一緒に移動するブラケットに軸着して引き出し３と同じ速さで移動する車輪等の軸部分（図５の軸ｍ部分相当）に前方への付勢力ｆ２を作用させる場合に比べて、軽い力で遊動回転体１２を床Ｆ上で転動させることができることは、トルクアームの違い等を考えても明らかである。このことは、摩擦抵抗力ｆ０の大きい床Ｆに対する移動距離が遊動回転体１２を採用することによって略半分になることからも明らかである。【００２７】  よって、このような遊動回転体１２によって引き出し３の前端３ｂ側の下面を支持しておけば、従来に比べて引き出し３を極めて軽い力で操作できるようになり、引き出し３ひいては袖机Ａの使い勝手を格段に向上させることが可能となる。【００２８】  特に、遊動回転体１２を引き出し３の下向き面３ｂ及び床Ｆに直接接触させるようにしているため、当該遊動回転体１２を単に引き出し３と床Ｆとの間に介在させるだけで構成できて構造や組み立ての極めてシンプルなものになり、作動も単純であるため安定した動作を期待することができる。【００２９】  また、本実施形態の遊動回転体１２は、レール１３及び回転子１４を介して引き出し３に懸吊可能に支持されたものであるため、袖机を持ち上げて移動させたり搬出入の際に、遊動回転体１２を常時引き出し３に付帯させた態を確保しておくことができ、移動や搬出入の度に遊動回転体１２の組み込み、解体等を行う必要がないようにして、使い勝手の低下を有効に回避しているものである。【００３０】  さらに、遊動回転体１２の巾寸法ｄを、引き出し３の巾寸法ｗの１／３を上回るものにして、引き出し３の巾方向中央部に配置しているため、引き出し３の後端側における左右両側縁をサスペンションレール機構１１に支持させるために遊動回転体１２の両サイドを開放し、かつ接地面��を極力広げて遊動回転体１２が床Ｆに局所的に当接することによる摩擦力の増大を極力回避することが可能となる。【００３１】  特に、この実施形態のように、引き出し３が、引き出し収納部２全体に配置される単体で大型のものであり、且つ底壁３１の３辺の上方を立壁３２、３３、３４に包囲されているが一部の立壁に相当する部位を解放して剛性が若干劣るものであるため、引き出し３に加える操作力が過大であると引き出し３の全体に変形が生じて望ましくないものであるところ、本実施形態によればかかる操作力を半減できるため、引き出し３を極力変形させずに出し入れ操作できる効果が奏される。【００３２】  なお、各部の構成は上述した実施形態のみに限定されるものではない。例えば、サスペンションレール機構１１が引き出し３の初動時には的確に引き出し３を支持するがある程度引き出した以降に始めて引き出し３の自重で前垂れ現象が生じ、この位置からサスペンションレール機構１１のみでは適切な支持状態が困難になる場合には、遊動回転体１２の初期作動時を前垂れ現象が始まるまで遅らせるとともに、そこから引き出し３の前端側を持ち上げるようにサポートすることが有効となる。【００３３】  図７〜図１０はその一例を示し、図７の状態から引き出し３を引き出すと、引き出し３を全移動量αの略半分のα／２だけ引き出した図８の位置で遊動回転体１２が接地し、その位置から遊動回転体１２が図８→図９に向かって転動し始めて、引き出し３を残りの半分の距離α／２だけ移動させた図１０の全開時に、遊動回転体１２を引き出し３の前端３ｂからα／４だけ内方に移動した位置に位置づけられるようにしたものである。【００３４】  具体的には、引き出し３を引き出すにつれて前端側が自重で前垂れするのを防止するために、引き出し３の初動時に図６に示したレール１３及び回転子１４を介して遊動回転体１２を床Ｆから浮上した位置に支持しておく。この場合、引き出し３は後端側が引き出し収納部２にサスペンションレール機構１１を介して支持されている。引き出し操作を進めると、途中で引き出し３が自重により前垂れを始め、遊動回転体１２が床Ｆに接地する。このとき、引き出し３の下向き面３ａに図９に示すような漸次床Ｆに近づく斜面３ａ１を設けておき、これ以後は当該斜面３ａ１に遊動回転体１２を潜り込ませて引き出し３の前端側を持ち上げるように構成しておくものである。【００３５】  なお、図８に示すごとくレール１３の一部に、遊動回転体１２が接地するまで回転子１４を当該レール１３の前端部に仮保持しておくための車止め１４ａを設けておくことで、上記の作動に確実性を期すことができる。【００３６】  このようにすれば、引き出し３の前開時に遊動回転体１２によって引き出し３を支持する位置が最適な部位に位置し、引き出し３の転倒防止の実効が図れるとともに、遊動回転体１２の床Ｆ上での移動距離も小さくなるので、過大な操作力を必要とする不具合も有効に回避することができる。【００３７】  浮上状態を確実に実現するためには、図１１のように、引き出し収納部２と引き出し３の下向き面３ａとの間に、引き出し３の初動時に遊動回転体１２を床Ｆから浮上させ所定引き出し位置以降に遊動回転体２を床Ｆに接地させ���ための傾斜面３ａ２を上記ガイドローラ２１と関連づけて併設しておくことが効果的である。【００３８】  また、上記実施形態では、遊動回転体を物体の下向き面及び床に直接接触させているが、無限軌道を介して間接的に接触させる構成を妨げるものではない。【００３９】  その他、本発明は上下複数段に配置される引き出しのうち最下段に配置される引き出しに適用しても有効であり、これ以外にも、筐体が袖机以外のワゴンその他の引き出し付き什器の引き出し収納部である場合や、物体が引き出し以外のものである場合などにも、本発明を広範に適用することが可能となる。
【図面の簡単な説明】
【００４０】
【図１】本発明の一実施形態を適用した机を示す斜視図。
【図２】同実施形態における引き出しの支持構造を模式的に示す図。
【図３】同実施形態における引き出しの支持構造を模式的に示す図。
【図４】同実施形態における引き出しの支持構造を模式的に示す図。
【図５】図３におけるＶ−Ｖ線拡大断面図。
【図６】図５におけるＶＩ−ＶＩ線断面図。
【図７】本発明の変形例を作用とともに示す図。
【図８】本発明の変形例を作用とともに示す図。
【図９】本発明の変形例を作用とともに示す図。
【図１０】本発明の変形例を作用とともに示す図。
【図１１】本発明の他の変形例を示す図。
【符号の説明】
【００４１】１…物体支持装置
２…筐体（引き出し収納部）
３…物体（引き出し）
３ａ…下向き面
３ａ１…傾斜
３ｂ…前端
１２…転動支持体（遊動回転体）
１２ａ…下端
１２ｂ…上端
１３…レール
１４…回転子
１４ａ…車止め
２１…ガイド回転子（ガイドローラ）
３２、３３、３４…立壁
ｄ…遊動回転体の巾寸法
Ｆ…床
Ｖ…引き出しの移動速度
Ｗ…引き出しの巾寸法
【図１】
2005144102.tif 000003
【図２】
2005144102.tif 000004
【図３】
2005144102.tif 000005
【図４】
2005144102.tif 000006
【図５】
2005144102.tif 000007
【図６】
2005144102.tif 000008
【図７】
2005144102.tif 000009
【図８】
2005144102.tif 000010
【図９】
2005144102.tif 000011
【図１０】
2005144102.tif 000012
【図１１】
2005144102.tif 000013